【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
被験者の身体の動きに基づく大きさに関する指標である体動情報を測定する体動情報測定手段と、
前記被験者の身体全容に係る属性、特徴および形態の少なくとも１つに関する指標である身体特定化情報を取得する身体特定化情報取得手段と、
前記被験者の体内成分に関する指標である体組成情報を取得する体組成情報取得手段と、
体動情報、身体特定化情報及び体組成情報を変数とし、運動消費エネルギーとの相関関係を示す相関データを記憶し、前記記憶している相関データを用いて、前記体動情報測定手段により測定した体動情報と、前記身体特定化情報取得手段により取得した身体特定化情報と、前記体組成情報取得手段により取得した体組成情報とに基づいて運動消費エネルギーを求める運動消費エネルギー演算手段と、
を備える運動消費エネルギー推定装置。
【請求項２】
前記体動情報が加速度であり、
前記身体特定化情報が体重、年齢及び性別であり、前記体組成情報が除脂肪量、筋肉量、脂肪量、体水分量及び体細胞量のうちの少なくともいずれかである
ことを特徴とする請求項１記載の運動消費エネルギー推定装置。
【請求項３】
前記相関データが、加速度をＸとし、体重をＷとし、年齢をＡとし、性別をＳとし、除脂肪量をＦＦＭとし、定数をａ１、ｂ１、ｃ１、ｄ１、ｆ１とし、運動消費エネルギーをＡＥＥとして、ＡＥＥ＝ａ１＋ｂ１×Ｘ×Ｗ＋ｃ１×ＦＦＭ＋ｄ１×Ａ＋ｆ１×Ｓで表される式であることを特徴とする請求項２記載の運動消費エネルギー推定装置。
【請求項４】
前記相関データが、加速度をＸとし、体重をＷとし、年齢をＡとし、性別をＳとし、除脂肪量をＦＦＭとし、脂肪量をＦＭとし、定数をａ２、ｂ２、ｃ２、ｄ２、ｅ２、ｆ２とし、運動消費エネルギーをＡＥＥとして、ＡＥＥ＝ａ２＋ｂ２×Ｘ×Ｗ＋ｃ２×ＦＦＭ＋ｄ２×ＦＭ＋ｅ２×Ａ＋ｆ２×Ｓで表される式であることを特徴とする請求項２記載の運動消費エネルギー推定装置。
【請求項５】
前記体動情報が加速度であり、
前記身体特定化情報が体重、年齢、性別及び身長であり、
前記体組成情報が除脂肪量、筋肉量、脂肪量、体水分量及び体細胞量のうちの少なくともいずれかである
ことを特徴とする請求項１記載の運動消費エネルギー推定装置。
【請求項６】
前記相関データが、加速度をＸとし、体重をＷとし、年齢をＡとし、性別をＳとし、身長をＨとし、除脂肪量をＦＦＭとし、定数をａ３、ｂ３、ｃ３、ｄ３、ｆ３とし、運動消費エネルギーをＡＥＥとして、ＡＥＥ＝ａ３＋ｂ３×Ｘ×Ｗ＋ｃ３×ＦＦＭ÷Ｈ２＋ｄ３×Ａ＋ｆ３×Ｓで表される式であることを特徴とする請求項５記載の運動消費エネルギー推定装置。
【請求項７】
前記相関データが、加速度をＸとし、体重をＷとし、年齢をＡとし、性別をＳとし、身長をＨとし、除脂肪量をＦＦＭとし、脂肪量をＦＭとし、定数をａ４、ｂ４、ｃ４、ｄ４、ｅ４、ｆ４とし、運動消費エネルギーをＡＥＥとして、ＡＥＥ＝ａ４＋ｂ４×Ｘ×Ｗ＋ｃ４×ＦＦＭ÷Ｈ２＋ｄ４×ＦＭ＋ｅ４×Ａ＋ｆ４×Ｓで表される式であることを特徴とする請求項５記載の運動消費エネルギー推定装置。
【請求項８】
前記体組成情報取得手段は、前記体組成情報の取得を、身体部位毎について行い、
前記相関データは、前記体組成情報として、身体部位毎についての体組成情報を変数として含み、前記各身体部位について求めた部位別運動消費エネルギーを合計することにより前記運動消費エネルギーを求めるためのものであり、
前記運動消費エネルギー演算手段は、前記体動情報測定手段により測定した体動情報と、前記身体特定化情報取得手段により取得した身体特定化情報と、前記体組成情報取得手段により取得した身体部位毎についての体組成情報とに基づいて前記運動消費エネルギーを求めることを特徴とする請求項１記載の運動消費エネルギー推定装置。
【請求項９】
前記体動情報が加速度であり、
前記身体特定化情報が体重、年齢及び性別であり、前記身体部位毎についての体組成情報が身体部位毎についての除脂肪量、身体部位毎についての筋肉量、身体部位毎についての脂肪量、身体部位毎についての体水分量及び身体部位毎についての体細胞量のうちの少なくともいずれかである
ことを特徴とする請求項８記載の運動消費エネルギー推定装置。
【請求項１０】
前記相関データは、加速度をＸとし、体重をＷとし、年齢をＡとし、性別をＳとし、身体部位毎についての除脂肪量をＦＦＭ１，ＦＦＭ２，・・・ＦＦＭｎ〔ただし、ｎは、身体部位毎の数〕とし、定数をα１１，α１２，・・・α１ｎ、β１１，β１２，・・・β１ｎ、γ１１，γ１２，・・・γ１ｎ、ε１１，ε１２，・・・ε１ｎ、ζ１１，ζ１２，・・・ζ１ｎ〔ただし、ｎは、身体部位毎の数〕とし、運動消費エネルギーをＡＥＥとして、ＡＥＥ＝（α１１＋β１１×Ｘ×Ｗ＋γ１１×ＦＦＭ１＋ε１１×Ａ＋ζ１１×Ｓ）＋（α１２＋β１２×Ｘ×Ｗ＋γ１２×ＦＦＭ２＋ε１２×Ａ＋ζ１２×Ｓ）＋・・・＋（α１ｎ＋β１ｎ×Ｘ×Ｗ＋γ１ｎ×ＦＦＭｎ＋ε１ｎ×Ａ＋ζ１ｎ×Ｓ）で表される式であることを特徴とする請求項９記載の運動消費エネルギー推定装置。
【請求項１１】
前記相関データは、加速度をＸとし、体重をＷとし、年齢をＡとし、性別をＳとし、身体部位毎についての除脂肪量をＦＦＭ１，ＦＦＭ２，・・・ＦＦＭｎ〔ただし、ｎは、身体部位毎の数〕とし、身体部位毎についての脂肪量をＦＭ１，ＦＭ２，・・・ＦＭｎ〔ただし、ｎは、身体部位毎の数〕とし、定数をα２１，α２２，・・・α２ｎ、β２１，β２２，・・・β２ｎ、γ２１，γ２２，・・・γ２ｎ、δ２１，δ２２，・・・δ２ｎ、ε２１，ε２２，・・・ε２ｎ、ζ２１，ζ２２，・・・ζ２ｎ〔ただし、ｎは、身体部位毎の数〕とし、運動消費エネルギーをＡＥＥとして、ＡＥＥ＝（α２１＋β２１×Ｘ×Ｗ＋γ２１×ＦＦＭ１＋δ２１×ＦＭ１＋ε２１×Ａ＋ζ２１×Ｓ）＋（α２２＋β２２×Ｘ×Ｗ＋γ２２×ＦＦＭ２＋δ２２×ＦＭ２＋ε２２×Ａ＋ζ２２×Ｓ）＋・・・＋（α２ｎ＋β２ｎ×Ｘ×Ｗ＋γ２ｎ×ＦＦＭｎ＋δ２ｎ×ＦＭｎ＋ε２ｎ×Ａ＋ζ２ｎ×Ｓ）で表される式であることを特徴とする請求項９記載の運動消費エネルギー推定装置。
【請求項１２】
基礎代謝量又は安静時代謝量を取得する基礎消費エネルギー取得手段と、
食事消費エネルギーを取得する食事消費エネルギー取得手段と、
前記運動消費エネルギー演算手段により取得した運動消費エネルギーと、前記基礎消費エネルギー取得手段により取得した基礎代謝量と、前記食事消費エネルギー取得手段により取得した食事消費エネルギーとを合算して総消費エネルギーを求める総消費エネルギー演算手段と、
を更に備えることを特徴とする請求項１乃至１１のうちのいずれか一項に記載の運動消費エネルギー推定装置。
【手続補正２】
【補正対象書類名】明細書
【補正対象項目名】００１１
【補正方法】変更
【補正の内容】
【００１１】
一つの観点によると、本発明の運動消費エネルギー推定装置は、被験者の身体の動きに基づく大きさに関する指標である体動情報を測定する体動情報測定手段と、前記被験者の身体全容に係る属性、特徴および形態の少なくとも１つに関する指標である身体特定化情報を取得する身体特定化情報取得手段と、前記被験者の体内成分に関する指標である体組成情報を取得する体組成情報取得手段と、体動情報、身体特定化情報及び体組成情報を変数とし、運動消費エネルギーとの相関関係を示す相関データを記憶し、前記記憶している相関データを用いて、前記体動情報測定手段により測定した体動情報と、前記身体特定化情報取得手段により取得した身体特定化情報と、前記体組成情報取得手段取得した体組成情報とに基づいて運動消費エネルギーを求める運動消費エネルギー演算手段と、を備える。
【手続補正３】
【補正対象書類名】明細書
【補正対象項目名】００１８
【補正方法】変更
【補正の内容】
【００１８】
また、この観点のさらに別の形態によると、前記体組成情報取得手段は、前記体組成情報の取得を、身体部位毎について行い、前記相関データは、前記体組成情報として、身体部位毎についての体組成情報を変数として含み、前記各身体部位について求めた部位別運動消費エネルギーを合計することにより前記運動消費エネルギーを求めるためのものであり、前記運動消費エネルギー演算手段は、前記体動情報測定手段により測定した体動情報と、前記身体特定化情報取得手段により取得した身体特定化情報と、前記体組成情報取得手段により取得した身体部位毎についての体組成情報とに基づいて前記運動消費エネルギーを求めることを特徴とする。
【手続補正４】
【補正対象書類名】明細書
【補正対象項目名】００２３
【補正方法】変更
【補正の内容】
【００２３】
本発明の運動消費エネルギー推定装置は、体動情報測定手段において被験者の身体の動きに基づく大きさに関する指標である体動情報を測定し、身体特定化情報取得手段において被験者の身体全容に係る属性、特徴および形態の少なくとも１つに関する指標である身体特定化情報を取得し、体組成情報取得手段において被験者の体内成分に関する指標である体組成情報を取得し、運動消費エネルギー演算手段において、体動情報、身体特定化情報及び体組成情報を変数とし、運動消費エネルギーとの相関関係を示す相関データを用いて、これら体動情報と、身体特定化情報と、体組成情報とに基づいて運動消費エネルギーを求める。すなわち、運動消費エネルギーを求めるにあたって、運動消費エネルギーの変動に大きく作用を及ぼす体組成情報を考慮することから、高い精度で運動消費エネルギーを簡単に求めることができる。
【手続補正５】
【補正対象書類名】明細書
【補正対象項目名】００３０
【補正方法】変更
【補正の内容】
【００３０】
また、体組成情報取得手段において、身体部位毎についての体組成情報を取得し、運動消費エネルギー演算手段において、相関データは、体組成情報として、身体部位毎についての体組成情報を変数として含み、各身体部位について求めた部位別運動消費エネルギーを合計することにより運動消費エネルギーを求めるためのものであり、体動情報、身体特定化情報及び身体部位毎についての体組成情報と運動消費エネルギーとの相関関係を示す相関データを用いて、体動情報と、身体特定化情報と、身体部位毎についての体組成情報とに基づいて運動消費エネルギーを求めることから、確実に、高い精度で運動消費エネルギーを簡単に求めることができる。